(57)【要約】【課題】予熱時間のばらつきを少なくする。【解決手段】放電ランプ２のフィラメント電極に流れる予熱電流を電流検出手段１０によって検出し、フィラメント電極の端子間電圧を電圧検出手段１１によって検出する。そして、Ａ／Ｄ変換器１２によって電流検出値と電圧検出値を一定時間毎に取り込んでデジタル変換しＣＰＵ１３に供給する。ＣＰＵは、予熱制御時において、タイマ１３ａにより予熱時間を計時するとともにＡ／Ｄ変換器から電流検出値と電圧検出値を取り込んでフィラメント抵抗値を算出する。そして、フィラメント抵抗値が所定値ＲhAに達したときのタイマ計時による予熱時間から予熱量を判断し、予熱量が大きいときには次回の予熱量を減らす設定を行い、逆に予熱量が小さいときには次回の予熱量を増やす設定を行う。【選択図】      図１
2006179188.tif 000002
【特許請求の範囲】
【請求項１】
フィラメント電極を有する放電ランプと；
フィラメント電極に流れる電流を検出する電流検出手段と；
フィラメント電極の端子間電圧を検出する電圧検出手段と；
各検出手段の検出値をデジタル値に変換する変換手段と；
フィラメント電極の予熱制御が開始されると前記変換手段から電流と電圧の検出値を所定時間毎に取り込んでフィラメント抵抗値を算出し、これを予め設定した所定値と比較する比較手段と；
比較手段においてフィラメント抵抗値が所定値に達したことを判断すると、始動制御に切替える制御手段と；
予熱制御が開始されると計時を開始するタイマと；
このタイマが計時した予熱制御の開始からフィラメント抵抗値が所定値に達するまでの時間に応じて予熱条件を設定する設定手段と；
を備えたことを特徴とする放電灯点灯装置。
【請求項２】
設定手段は、予熱条件として、予熱制御の開始からフィラメント抵抗値が所定値に達するまでの時間が適切な時間になるように次回の予熱制御における予熱量を設定することを特徴とする請求項１記載の放電灯点灯装置。
【請求項３】
設定手段は、適切な時間を基準時間として予め設定し、予熱制御の開始からフィラメント抵抗値が所定値に達するまでの時間が、基準時間よりも短い場合は次回の予熱制御における予熱量を今回よりも小さく設定し、基準時間よりも長い場合は次回の予熱制御における予熱量を今回よりも大きく設定することを特徴とする請求項２記載の放電灯点灯装置。
【請求項４】
設定手段は、予熱制御の開始からフィラメント抵抗値が所定値に達するまでの時間と基準時間との差に応じて次回に設定する予熱制御における予熱量の増減の変化幅を設定することを特徴とする請求項３記載の放電灯点灯装置。
【請求項５】
インバータ回路を具備し、予熱制御は前記インバータ回路の動作周波数の目標値を設定して行い、予熱量を動作周波数の目標値を変化させることで制御することを特徴とする請求項３又は４記載の放電灯点灯装置。
【請求項６】
予熱制御は放電ランプのフィラメント電極に流れる予熱電流が目標値になるように行い、予熱量を予熱電流の目標値を変化させることで制御することを特徴とする請求項３又は４記載の放電灯点灯装置。
【請求項７】
設定手段は、予熱制御の開始から所定の時間経過しても電流検出手段あるいは電圧検出手段からの検出値がゼロを継続しているときには、予熱制御を停止して装置の保護動作を行うことを特徴とする請求項１記載の放電灯点灯装置。
【請求項８】
フィラメント電極を有する放電ランプと；
フィラメント電極に流れる電流を検出する電流検出手段と；
フィラメント電極の端子間電圧を検出する電圧検出手段と；
各検出手段の検出値をデジタル値に変換する変換手段と；
フィラメント電極の予熱制御が開始されると前記変換手段から電流と電圧の検出値を所定時間毎に取り込んでフィラメント抵抗値を算出し、これを予め設定した所定時間毎の設定値と比較する比較手段と；
予め設定した予熱時間が経過すると、始動制御に切替える制御手段と；
比較手段によるフィラメント抵抗値と設定値との比較毎に、予熱時間経過後のフィラメント抵抗値が予め設定した所定値になるように予熱量を可変制御する予熱量制御手段と；
を備えたことを特徴とする放電灯点灯装置。
【請求項９】
フィラメント電極を有する放電ランプと；
フィラメント電極に流れる電流を検出する電流検出手段と；
フィラメント電極の端子間電圧を検出する電圧検出手段と；
各検出手段の検出値をデジタル値に変換する変換手段と；
フィラメント電極の予熱制御が開始されると前記変換手段から電流と電圧の検出値を取り込んでフィラメント抵抗値を算出しこれを初期抵抗値Ｒcとしてメモリに記憶する手段と；
初期抵抗値Ｒcのメモリへの記憶が終了した後において、前記変換手段から電流と電圧の検出値を所定時間毎に取り込んでフィラメント抵抗値Ｒhを算出し、この抵抗値Ｒhと記憶した初期抵抗値Ｒcとの比Ｒh／Ｒcを予め設定した所定時間毎の設定値と比較する比較手段と；
予め設定した予熱時間が経過すると、始動制御に切替える制御手段と；
比較手段による比Ｒh／Ｒcと設定値との比較毎に、予熱時間経過後の比Ｒh／Ｒcが予め設定した所定値になるように予熱量を可変制御する予熱量制御手段と；
を備えたことを特徴とする放電灯点灯装置。
【請求項１０】
インバータ回路を具備し、予熱量制御手段は、予熱量の可変制御を周波数のフィードバック制御により行うことを特徴とする請求項８又は９記載の放電灯点灯装置。
【請求項１１】
インバータ回路を具備し、予熱量制御手段は、予熱量の可変制御を前記インバータ回路の入力直流電圧をフィードバック制御することにより行うことを特徴とする請求項８又は９記載の放電灯点灯装置。
【請求項１２】
フィラメント電極を有する放電ランプと；
フィラメント電極に流れる電流を検出する電流検出手段と；
フィラメント電極の端子間電圧を検出する電圧検出手段と；
各検出手段の検出値をデジタル値に変換する変換手段と；
フィラメント電極の予熱制御が開始されると前記変換手段から電流と電圧の検出値を所定時間毎に取り込んでフィラメント抵抗値を算出し、これを予め設定した所定値と比較する比較手段と；
予め設定した予熱時間が経過すると、始動制御に切替える制御手段と；
一定の予熱量で予熱を開始し、前記比較手段が前記予熱時間の経過前にフィラメント抵抗値が前記所定値に達したことを判断すると、以降、前記予熱時間が経過するまでフィラメント抵抗値が前記所定値を略保持するように予熱量を可変制御する予熱量制御手段と；
を備えたことを特徴とする放電灯点灯装置。
【請求項１３】
請求項１乃至１２のいずれか１記載の放電灯点灯装置と、この放電灯点灯装置を組み込んだ照明器具本体とを有することを特徴とする照明器具。
【請求項１４】
フィラメント電極を有する放電ランプと、フィラメント電極に流れる電流を検出する電流検出手段と、フィラメント電極の端子間電圧を検出する電圧検出手段と、各検出手段の検出値をデジタル値に変換する変換手段と、フィラメント電極の予熱制御が開始されると前記変換手段から電流と電圧の検出値を所定時間毎に取り込んでフィラメント抵抗値を算出し、これを予め設定した所定値と比較する比較手段と、一定の予熱量で予熱を開始し、前記比較手段においてフィラメント抵抗値が前記所定値に達したことを判断すると、以降、フィラメント抵抗値が前記所定値を略保持するように予熱量を可変制御する予熱量制御手段を備えた放電灯点灯装置と；
放電灯点灯装置を収容する照明器具本体を有する複数の照明器具と；
前記各照明器具の予熱制御においてフィラメント抵抗値が所定値に達するのを監視し、全ての照明器具でフィラメント抵抗値が所定値に達したことを判断すると全ての照明器具を一斉に予熱制御から始動制御に切替える制御手段と；
を備えたことを特徴とする照明システム。
【請求項１５】
制御手段を複数の照明器具のうちの１つに設けてホスト照明器具とし、
前記ホスト照明器具以外の他の照明器具は、フィラメント抵抗値を算出する毎に算出したフィラメント抵抗値を前記ホスト照明器具に送信する送信手段と、前記ホスト照明器具から切替え指令を受信すると予熱制御から始動制御に切替える切替え制御手段を設け、
前記ホスト照明器具は、他の照明器具からフィラメント抵抗値を受信する受信手段と、前記制御手段により自己のフィラメント抵抗値も含めて全ての照明器具におけるフィラメント抵抗値が所定値に達したか否かを判断する判断手段と、この判断手段が全ての照明器具におけるフィラメント抵抗値が所定値に達したことを判断すると、予熱制御から始動制御に切替えるとともに他の照明器具に予熱制御から始動制御に切替える切替え指令を送信することを特徴とする請求項１４記載の照明システム。
【請求項１６】
制御手段を複数の照明器具のうちの１つに設けてホスト照明器具とし、
前記ホスト照明器具以外の他の照明器具は、フィラメント抵抗値が所定値に達したことを判断すると、その結果を前記ホスト照明器具に送信する送信手段と、前記ホスト照明器具から切替え指令を受信すると予熱制御から始動制御に切替える切替え制御手段を設け、
前記ホスト照明器具は、他の照明器具からフィラメント抵抗値が所定値に達した結果を受信する受信手段と、前記制御手段により自己のフィラメント抵抗値も含めて全ての照明器具におけるフィラメント抵抗値が所定値に達したことを確認すると、予熱制御から始動制御に切替えるとともに他の照明器具に予熱制御から始動制御に切替える切替え指令を送信することを特徴とする請求項１４記載の照明システム。
【発明の詳細な説明】
【技術分野】
【０００１】
本発明は、放電灯点灯装置及びこの放電灯点灯装置を備えた照明器具並びに複数の照明器具からなる照明システムに関する。
【背景技術】
【０００２】
従来、点灯回路によって予熱制御され、続いて始動、点灯制御される放電灯と、この放電灯のフィラメント電極に流れる電流を検出する電流検出手段と、フィラメント電極間電圧を検出する電圧検出手段と、各検出手段からの検出値をデジタル変換するＡ／Ｄ変換手段と、メモリとを備え、フィラメント電極に予熱電流を流す予熱制御の開始直後においてＡ／Ｄ変換手段から電流と電圧の検出値を取り込んでフィラメント抵抗値Ｒcを算出してメモリに記憶し、その後一定時間毎に電流と電圧の検出値を取り込んでフィラメント抵抗値Ｒhを算出し、その抵抗値Ｒhと記憶した抵抗値Ｒcとの比Ｒh／Ｒcを求め、この比Ｒh／Ｒcが所定値ａに達すると、予熱制御から始動制御に切替えるものが知られている（例えば、特許文献１参照）。
【特許文献１】特開２００４−２２１０２７号
【発明の開示】
【発明が解決しようとする課題】
【０００３】
このように、単に比Ｒh／Ｒcが所定値ａに達すると予熱制御から始動制御に切替えるものでは、フィラメント電極のばらつきや予熱電流量のばらつきによって比Ｒh／Ｒcが所定値ａに達するまでの時間に違いが生じるので、放電灯点灯装置や照明器具間において予熱時間にばらつきが生じるという問題があった。  
本発明は、適切な予熱を行うことができると同時に、予熱時間のばらつきを少なくすることができる放電灯点灯装置及び照明器具並びに照明システムを提供する。
【課題を解決するための手段】
【０００４】
本発明は、フィラメント電極を有する放電ランプと、フィラメント電極に流れる電流を検出する電流検出手段と、フィラメント電極の端子間電圧を検出する電圧検出手段と、各検出手段の検出値をデジタル値に変換する変換手段と、フィラメント電極の予熱制御が開始されると変換手段から電流と電圧の検出値を所定時間毎に取り込んでフィラメント抵抗値を算出し、これを予め設定した所定値と比較する比較手段と、この比較手段においてフィラメント抵抗値が所定値に達したことを判断すると、始動制御に切替える制御手段と、予熱制御が開始されると計時を開始するタイマと、このタイマが計時した予熱制御の開始からフィラメント抵抗値が所定値に達するまでの時間に応じて予熱条件を設定する設定手段とを備えた放電灯点灯装置にある。
【０００５】
このように、タイマが計時した予熱制御の開始からフィラメント抵抗値が所定値に達するまでの時間に応じて予熱条件を設定するので、適切な予熱を行うことができると同時に、予熱制御における予熱時間のばらつきを少なくすることができる。  
さらには、設定手段は、予熱条件として、予熱制御の開始からフィラメント抵抗値が所定値に達するまでの時間が適切な時間になるように次回の予熱制御における予熱量を設定することにある。
【０００６】
さらには、設定手段は、適切な時間を基準時間として予め設定し、予熱制御の開始からフィラメント抵抗値が所定値に達するまでの時間が、基準時間よりも短い場合は次回の予熱制御における予熱量を今回よりも小さく設定し、基準時間よりも長い場合は次回の予熱制御における予熱量を今回よりも大きく設定することにある。  
さらには、設定手段は、予熱制御の開始からフィラメント抵抗値が所定値に達するまでの時間と基準時間との差に応じて次回に設定する予熱制御における予熱量の増減の変化幅を設定することにある。
【０００７】
さらには、インバータ回路を具備し、予熱制御はインバータ回路の動作周波数の目標値を設定して行い、予熱量を動作周波数の目標値を変化させることで制御することにある。  
さらには、予熱制御は放電ランプのフィラメント電極に流れる予熱電流が目標値になるように行い、予熱量を予熱電流の目標値を変化させることで制御することにある。  
さらには、設定手段は、予熱制御の開始から所定の時間経過しても電流検出手段あるいは電圧検出手段からの検出値がゼロを継続しているときには、予熱制御を停止して装置の保護動作を行うことにある。
【０００８】
本発明は、フィラメント電極を有する放電ランプと、フィラメント電極に流れる電流を検出する電流検出手段と、フィラメント電極の端子間電圧を検出する電圧検出手段と、各検出手段の検出値をデジタル値に変換する変換手段と、フィラメント電極の予熱制御が開始されると変換手段から電流と電圧の検出値を所定時間毎に取り込んでフィラメント抵抗値を算出し、これを予め設定した所定時間毎の設定値と比較する比較手段と、予め設定した予熱時間が経過すると、始動制御に切替える制御手段と、比較手段によるフィラメント抵抗値と設定値との比較毎に、予熱時間経過後のフィラメント抵抗値が予め設定した所定値になるように予熱量を可変制御する予熱量制御手段を備えた放電灯点灯装置にある。
【０００９】
本発明は、フィラメント電極を有する放電ランプと、フィラメント電極に流れる電流を検出する電流検出手段と、フィラメント電極の端子間電圧を検出する電圧検出手段と、各検出手段の検出値をデジタル値に変換する変換手段と、フィラメント電極の予熱制御が開始されると変換手段から電流と電圧の検出値を取り込んでフィラメント抵抗値を算出しこれを初期抵抗値Ｒcとしてメモリに記憶する手段と、初期抵抗値Ｒcのメモリへの記憶が終了した後において、変換手段から電流と電圧の検出値を所定時間毎に取り込んでフィラメント抵抗値Ｒhを算出し、この抵抗値Ｒhと記憶した初期抵抗値Ｒcとの比Ｒh／Ｒcを予め設定した所定時間毎の設定値と比較する比較手段と、予め設定した予熱時間が経過すると、始動制御に切替える制御手段と、比較手段による比Ｒh／Ｒcと設定値との比較毎に、予熱時間経過後の比Ｒh／Ｒcが予め設定した所定値になるように予熱量を可変制御する予熱量制御手段を備えた放電灯点灯装置にある。
【００１０】
さらには、インバータ回路を具備し、予熱量制御手段は、予熱量の可変制御を周波数のフィードバック制御により行うことにある。  
さらには、インバータ回路を具備し、予熱量制御手段は、予熱量の可変制御をインバータ回路の入力直流電圧をフィードバック制御することにより行うことにある。
【００１１】
本発明は、フィラメント電極を有する放電ランプと、フィラメント電極に流れる電流を検出する電流検出手段と、フィラメント電極の端子間電圧を検出する電圧検出手段と、各検出手段の検出値をデジタル値に変換する変換手段と、フィラメント電極の予熱制御が開始されると変換手段から電流と電圧の検出値を所定時間毎に取り込んでフィラメント抵抗値を算出し、これを予め設定した所定値と比較する比較手段と、予め設定した予熱時間が経過すると、始動制御に切替える制御手段と、一定の予熱量で予熱を開始し、比較手段が予熱時間の経過前にフィラメント抵抗値が所定値に達したことを判断すると、以降、予熱時間が経過するまでフィラメント抵抗値が所定値を略保持するように予熱量を可変制御する予熱量制御手段を備えた放電灯点灯装置にある。  
本発明は、上記したいずれかの放電灯点灯装置と、この放電灯点灯装置を組み込んだ照明器具本体とを有する照明器具にある。
【００１２】
本発明は、フィラメント電極を有する放電ランプと、フィラメント電極に流れる電流を検出する電流検出手段と、フィラメント電極の端子間電圧を検出する電圧検出手段と、各検出手段の検出値をデジタル値に変換する変換手段と、フィラメント電極の予熱制御が開始されると変換手段から電流と電圧の検出値を所定時間毎に取り込んでフィラメント抵抗値を算出し、これを予め設定した所定値と比較する比較手段と、一定の予熱量で予熱を開始し、比較手段においてフィラメント抵抗値が所定値に達したことを判断すると、以降、フィラメント抵抗値が所定値を略保持するように予熱量を可変制御する予熱量制御手段を備えた放電灯点灯装置と、放電灯点灯装置を収容する照明器具本体を有する複数の照明器具と、各照明器具の予熱制御においてフィラメント抵抗値が所定値に達するのを監視し、全ての照明器具でフィラメント抵抗値が所定値に達したことを判断すると全ての照明器具を一斉に予熱制御から始動制御に切替える制御手段を備えた照明システムにある。
【００１３】
さらには、制御手段を複数の照明器具のうちの１つに設けてホスト照明器具とし、ホスト照明器具以外の他の照明器具は、フィラメント抵抗値を算出する毎に算出したフィラメント抵抗値をホスト照明器具に送信する送信手段と、ホスト照明器具から切替え指令を受信すると予熱制御から始動制御に切替える切替え制御手段を設け、ホスト照明器具は、他の照明器具からフィラメント抵抗値を受信する受信手段と、制御手段により自己のフィラメント抵抗値も含めて全ての照明器具におけるフィラメント抵抗値が所定値に達したか否かを判断する判断手段と、この判断手段が全ての照明器具におけるフィラメント抵抗値が所定値に達したことを判断すると、予熱制御から始動制御に切替えるとともに他の照明器具に予熱制御から始動制御に切替える切替え指令を送信することにある。
【００１４】
さらには、制御手段を複数の照明器具のうちの１つに設けてホスト照明器具とし、ホスト照明器具以外の他の照明器具は、フィラメント抵抗値が所定値に達したことを判断すると、その結果をホスト照明器具に送信する送信手段と、ホスト照明器具から切替え指令を受信すると予熱制御から始動制御に切替える切替え制御手段を設け、ホスト照明器具は、他の照明器具からフィラメント抵抗値が所定値に達した結果を受信する受信手段と、制御手段により自己のフィラメント抵抗値も含めて全ての照明器具におけるフィラメント抵抗値が所定値に達したことを確認すると、予熱制御から始動制御に切替えるとともに他の照明器具に予熱制御から始動制御に切替える切替え指令を送信することにある。
【発明の効果】
【００１５】
本発明によれば、適切な予熱を行うことができると同時に、予熱時間のばらつきを少なくすることができる放電灯点灯装置を提供できる。  
本発明によれば、さらに、放電ランプの未装着に対する保護ができる放電灯点灯装置を提供できる。  
本発明によれば、さらに、点灯制御開始時のフィラメント抵抗値が略一定になるように予熱制御ができる放電灯点灯装置を提供できる。  
本発明によれば、さらに、フィラメントの初期抵抗値Ｒcと点灯制御開始時のフィラメント抵抗値Ｒhとの比Ｒh／Ｒcが略一定になるように予熱制御ができる放電灯点灯装置を提供できる。
【００１６】
本発明によれば、適切な予熱を行うことができると同時に、予熱時間のばらつきを少なくすることができる放電灯点灯装置を使用した照明器具を提供できる。  
本発明によれば、適切な予熱を行うことができると同時に、予熱時間のばらつきを少なくすることができる放電灯点灯装置を使用した照明器具を複数配置した照明システムを提供できる。
【発明を実施するための最良の形態】
【００１７】
以下、本発明の実施の形態を、図面を参照して説明する。  
（第１の実施の形態）
図１に示すように、点灯回路１に放電ランプ２を接続し、この点灯回路１で放電ランプ２を予熱制御した後始動制御し、さらに点灯制御するようになっている。なお、始動制御とは、放電ランプ２に高電圧を印加してランプを点灯に至らしめるまでの制御を言う。
【００１８】
前記点灯回路１は、例えば、直流電源３に１対のＦＥＴ（電界効果トランジスタ）４，５の直列回路を接続している。そして、前記ＦＥＴ４のソースと前記ＦＥＴ５のドレインとの接続点に、コンデンサ６及びインダクタ７を直列に介して前記放電灯２における一方のフィラメント電極２ａの一端を接続し、前記ＦＥＴ５のソースに、前記放電灯２における他方のフィラメント電極２ｂの一端を接続している。
【００１９】
前記放電灯２の各フィラメント電極２ａ，２ｂの他端間に予熱用コンデンサ８を接続している。前記各ＦＥＴ４，５をドライバ回路９によって高周波スイッチング動作するようになっている。  
前記放電灯２の各フィラメント電極２ａ，２ｂ及び予熱用コンデンサ８に流れる予熱電流を、予熱用コンデンサ８に直列に介挿した、例えばカレントトランスからなる電流検出手段１０によって検出し、前記フィラメント電極２ｂの端子間電圧を例えば検出抵抗からなる電圧検出手段１１によって検出するようにしている。なお、電流検出手段１０及び電圧検出手段１１の構成はこれに限定されるものではない。
【００２０】
前記電流検出手段１０にて検出した電流検出値Ｉf及び前記電圧検出手段１１にて検出した電圧検出値Ｖfを、変換手段を構成するＡ／Ｄ変換器１２によって一定時間毎に取り込んでデジタル変換し、変換したデジタル値を、ＲＯＭを内蔵し、比較手段、制御手段、設定手段を構成するＣＰＵ（中央理装置）１３に供給している。前記Ａ／Ｄ変換器１２としては、例えば、検出したアナログ値を標本化した後量子化してデジタル変換するようになっている。なお、通常のＡ／Ｄ変換器を使用してもよい。
【００２１】
なお、ここではＡ／Ｄ変換器１２は電流検出手段１０からの電流検出値Ｉf及び電圧検出手段１１からの電圧検出値Ｖfを一定時間毎に取り込むようにしたが必ずしもこれに限定するものではない。例えば、点灯回路１のスイッチング動作の所定位相毎に取り込むようにしてもよい。また、電流検出値Ｉfと電圧検出値Ｖfは同じタイミングで取り込む必要もない。
【００２２】
前記ＣＰＵ１３は、予熱制御時、始動制御時及び点灯制御時には駆動信号生成器１４を介して前記ドライバ回路９を駆動制御するようになっている。また、前記ＣＰＵ１３はメモリ１５を制御するようになっている。前記ＣＰＵ１３には、予熱制御が開始されると計時を開始するタイマ１３ａが設けられ、このタイマ１３ａは予熱制御が終了して計時値が前記メモリ１５に記憶されるとクリアされるようになっている。
【００２３】
また、前記ＣＰＵ１３は、Ａ／Ｄ変換器１２から取り込んだ電流、電圧の２つのデジタル値のうち、少なくとも１つについてゼロの状態を予熱の基準時間よりも短い所定時間継続したときには、放電ランプ２の異常を判断し、駆動信号生成器１４からの駆動信号の発生を停止させて予熱制御を停止させる。そして、表示ランプ１６を点灯させて異常を知らせるようになっている。
【００２４】
このような構成においては、先ず、予熱制御が開始される。すなわち、ＣＰＵ１３は駆動信号生成器１４を予熱のために制御し、この駆動信号生成器１４からドライバ回路９に予熱用の駆動信号が供給される。これにより、ドライバ回路９は予熱制御に応じた所定の動作周波数でＦＥＴ４，５を交互にスイッチング動作する。こうして、点灯回路１から放電灯２の各フィラメント電極２ａ，２ｂに予熱用コンデンサ８を介して予熱電流が流れる。また、予熱制御が開始されると、タイマ１３ａが計時動作を開始する。
【００２５】
そして、予熱電流は電流検出手段１０にて検出される。また、フィラメント電極２ｂの端子間電圧が電圧検出手段１１によって検出される。Ａ／Ｄ変換器１２は電流検出手段１０及び電圧検出手段１１からの検出値Ｉf、Ｖfを一定時間毎に取り込み、デジタルデータに変換してＣＰＵ１３に供給する。
【００２６】
ＣＰＵ１３は、取り込んだ両検出値に基づいてフィラメント抵抗値Ｒhを算出し、メモリ１５に記憶する。そして、メモリ１５に予め設定した所定値ＲhAと比較する。（比較手段）
予熱が基準通り行われたときにはフィラメント抵抗値Ｒhが図２の(a)のグラフｇ1に示すように上昇し、その抵抗値Ｒhが所定値ＲhAに達したときタイマ１３ａは予熱に適切な時間である基準時間ｔ1か、あるいはその近傍の時間を計時する。そして、抵抗値Ｒhが所定値ＲhAに達することで予熱制御が終了し、タイマ１３ａがクリアされる。
【００２７】
予熱が終了すると、ＣＰＵ１３は、今度は駆動信号生成器１４を始動制御し、この駆動信号生成器１４からドライバ回路９に始動のための駆動信号が供給される。これにより、ドライバ回路９は始動制御に応じた所定の動作周波数でＦＥＴ４，５を交互にスイッチング動作する。こうして、点灯回路１から放電灯２の各フィラメント電極２ａ，２ｂに始動電圧が一定時間印加され、やがて放電ランプ２が点灯するようになり、以降放電ランプ２は点灯制御される。  
この一連の動作時における点灯回路１から放電ランプ２への印加電圧の変化を示すと図２の(b)に示すようになる。
【００２８】
これに対し、放電ランプ２の点灯累積時間や点灯／消灯の回数などによりフィラメント電極２ａ，２ｂのエミッタが消耗すると、フィラメントの温度上昇が速くなり抵抗値Ｒhの上昇が速くなる。すなわち、フィラメント抵抗値Ｒhが図２の(a)のグラフｇ2に示すように上昇し、その抵抗値Ｒhが所定値ＲhAに達するまでのタイマ１３ａの計時時間ｔ2が時間ｔ1よりも短くなる。
【００２９】
このときにはＣＰＵ１３は、予熱量が大きいと判断し、次回に予熱制御を行う場合に予熱量を減らすためのデータ設定をメモリ１５に行う。すなわち、次回において予熱に要する時間が、予熱に適切な時間である基準時間ｔ1か、あるいはその近傍の時間になるように予熱量を減少させる。  
例えば、予熱制御において動作周波数と予熱量との関係は、図３に示すように、動作周波数を高くすると予熱量が減少し、逆に、動作周波数を低くすると予熱量が増加することが知られている。
【００３０】
そこで、今回の予熱時の動作周波数の目標値をｆ1に設定していたとすると、次回の予熱時の動作周波数の目標値をｆ1からより低いｆ2へ変化させる。すなわち、メモリ１５に設定する動作周波数の目標値をｆ1からｆ2に書き換える（設定手段）。
【００３１】
また、何らかの原因でフィラメント抵抗値Ｒhの上昇が遅くなった時には、ＣＰＵ１３は、逆に、予熱量が小さいと判断し、次回に予熱制御を行う場合に予熱量を増やすためのデータ設定をメモリ１５に行う。すなわち、次回において予熱に要する時間が、予熱に適切な時間である基準時間ｔ1か、あるいはその近傍の時間になるように予熱量を増加させる。そこで、今回の予熱時の動作周波数の目標値をｆ1に設定していたとすると、次回の予熱時の動作周波数の目標値をｆ1からより高いｆ3へ変化させる。すなわち、メモリ１５に設定する動作周波数の目標値をｆ1からｆ3に書き換える（設定手段）。
【００３２】
このような設定により、次回に放電ランプ１を予熱制御するときには予熱が開始されてからフィラメント抵抗値Ｒhが所定値ＲhAに達するまでの時間が、予熱に適切な時間である基準時間ｔ1か、あるいはその近傍の時間に制御されるようになる。  
こうして、適切な予熱を行うことができると同時に、予熱制御における予熱時間のばらつきを少なくすることができ、予熱時間を略一定に制御することが可能になる。従って、電源の投入から一定の時間で始動電圧を印加することができ、放電ランプの点灯開始のばらつきを抑えることができる。従って、この点灯装置を複数設けて放電ランプを点灯させる場合に各放電ランプの点灯開始のばらつきを抑えることができる。
【００３３】
また、予熱時におけるフィラメント抵抗値Ｒhが所定値ＲhAに達するまでの時間ｔ2と基準時間ｔ1との時間差を求め、その時間差に応じて次回に増減させる予熱量の変化幅、すなわち、補正量を設定する。例えば、動作周波数を変える場合は、その変化する周波数の幅を時間差に応じて設定する。このように設定すれば、次回において予熱制御の時間を精度よく基準時間ｔ1に合わせることが可能になる。
【００３４】
また、予熱量の変更は動作周波数を変化させる制御のみでなく、予熱電流の目標値を変更する制御を行ってもよい。例えば、予熱制御において動作周波数と予熱電流との関係は、図４に示すように設定することができる。この関係から、予熱電流Ｉf1で予熱を行った結果、フィラメント抵抗値Ｒhが所定値ＲhAに達するまでの時間が基準時間ｔ1よりも短かったときには、ＣＰＵ１３は、予熱量が大きいと判断し、次回に予熱制御を行う場合に予熱電流がＩf1からＩf2に減少するようにメモリ１５に設定する目標値を変更する。また、逆に、予熱電流Ｉf1で予熱を行った結果、フィラメント抵抗値Ｒhが所定値ＲhAに達するまでの時間が基準時間ｔ1よりも長かったときには、ＣＰＵ１３は、予熱量が小さいと判断し、次回に予熱制御を行う場合に予熱電流がＩf1からＩf3に増加するようにメモリ１５に設定する目標値を変更する。
【００３５】
このように予熱電流の目標値を変更させることによっても、次回において予熱に要する時間が、予熱に適切な時間である基準時間ｔ1か、あるいはその近傍の時間になるように制御することができる。  
また、放電ランプ２が装着されていない、すなわち、未装着になっているときには、予熱電流が流れないので、電流検出手段１０からの検出値Ｉfも電圧検出手段１１からの検出値Ｖfもゼロになる。しかも、この状態が継続する。そこで、ＣＰＵ１３は、Ａ／Ｄ変換器１２から取り込んだ電流、電圧の２つのデジタル値のいずれもゼロの状態が所定時間継続したことを判断して放電ランプ２の未装着を判断し、駆動信号生成器１４からの駆動信号の発生を停止させて予熱制御を停止させ、保護動作を行う。そして、表示ランプ１６を点灯させて異常を知らせる。
【００３６】
なお、ここでは電流検出手段１０からの検出値Ｉfと電圧検出手段１１からの検出値Ｖfの両方がゼロになった状態が所定時間継続したときに放電ランプ２の未装着を検出する場合について述べたが、電流、電圧の一方の検出値がゼロになり、それが所定時間継続したときにも駆動信号生成器１４からの駆動信号の発生を停止させて予熱制御を停止させる保護動作を行い、表示ランプ１６を点灯させて異常を知らせるものであってもよい。
【００３７】
また、次回における予熱量の設定に、さらに、次回までの放電ランプ２の消灯時間を加味してもよい。すなわち、消灯時間が短い場合はフィラメント電極２ａ，２ｂの温度は充分室温まで低下しない状態で次の電源投入が開始されることになる。このときにはフィラメント電極の初期温度が高くなっているので、フィラメント抵抗値Ｒhが所定値に達するまでの時間が短くなる。従って、このような場合には予熱量を減らす修正を行うことで対処できる。そして、放電ランプ２の消灯時間の長さによって予熱量の減らし具合を制御すればより精度の高い制御ができる。
【００３８】
なお、この実施の形態では、放電灯２の各フィラメント電極２ａ，２ｂ及び予熱用コンデンサ８に流れる予熱電流を、予熱用コンデンサ８に直列に介挿した電流検出手段１０によって検出するものについて述べたがこれに限定するものではない。  
例えば、図５に示すように、コンデンサ予熱方式という点では上記実施の形態と同じであるが電流検出手段１０に代えて、ＦＥＴ５のソース端子に直列に電流検出手段１７を接続し、この電流検出手段１７によって予熱制御時における予熱電流を検出し、その検出値ＩfをＡ／Ｄ変換器１２に供給する構成であってもよい。
【００３９】
また、図６に示すように、ＦＥＴ５に、コンデンサ６を介してコンデンサ１８、予熱トランス１９の１次巻線及び電流検出手段２０の直列回路を並列に接続し、予熱トランス１９の１対の２次巻線の一方を放電ランプ２のフィラメント電極２ａに接続し、他方を放電ランプ２のフィラメント電極２ｂに接続し、前記放電ランプ２の各フィラメント電極２ａ，２ｂの一端間にコンデンサ８を接続した、トランス予熱方式のものであってもよい。すなわち、予熱トランス１９の１次巻線に流れる電流を電流検出手段２０で検出し、これを予熱電流の検出値ＩfとしてＡ／Ｄ変換器１２に供給する。
【００４０】
次に、予熱時間を常に適切な予熱時間に設定でき、しかも、予熱時間経過後においてフィラメント抵抗値Ｒhやフィラメント抵抗値Ｒhの初期抵抗値Ｒcとの比が常に所定値に設定されるようにフィードバック制御により点灯回路１の予熱制御時の動作周波数を可変して予熱量を可変する実施の形態について述べる。
【００４１】
（第２の実施の形態）
この実施の形態の前述した第１の実施の形態との違いはＣＰＵによる予熱電流制御にあり、その他の構成は同じである。図７に示すように、ＣＰＵ１３１は、Ａ／Ｄ変換器１２から電流検出値Ｉf(i)及び電圧検出値Ｖf(i)を取り込むと、Ｖf(i)／Ｉf(i)の関係によって放電ランプ２のフィラメント抵抗値Ｒh(i)を求め、この抵抗値Ｒh(i)を予め設定されている基準となる設定値Ｒh-ref(i)と比較する。なお、ｉは１，２，３，…の正の整数でサンプリング回数を示している。
【００４２】
すなわち、メモリ１５の一部をＲＯＭなどの不揮発性メモリで構成し、この不揮発性メモリにサンプリング回数毎の設定値Ｒh-ref(i)を設定したテーブルを用意し、ＣＰＵ１３１は、Ａ／Ｄ変換器１２から電流検出値Ｉf(i)及び電圧検出値Ｖf(i)を取り込む毎に設定値Ｒh-ref(i)と比較する。そして、その差に応じて駆動信号生成器１４を制御して予熱制御時の点灯回路１の動作周波数を可変制御し、予熱量を可変する。例えば、フィラメント抵抗値Ｒh(i)が設定値Ｒh-ref(i)よりも大きいときには動作周波数を高くして予熱量を低減する。そして、適切な予熱時間Ｔph及び最終的な所定値ＲhAもテーブルに用意し、タイマ１３ａが予熱時間Ｔphを計時したときにフィラメント抵抗値Ｒhが所定値ＲhAになるように制御する。
【００４３】
このときのＣＰＵ１３１のプログラム処理をシーケンスパターンで示すと、図８に示すようになる。すなわち、Ａ／Ｄ変換器１２から電流検出値Ｉf(i)及び電圧検出値Ｖf(i)を演算処理手段２１でＶf(i)／Ｉf(i)の演算処理を行ってフィラメント抵抗値Ｒh(i)を求め、続いて、演算処理手段２２でテーブルに設定されている該当するサンプリング回数ｉの設定値Ｒh-ref(i)との差、「Ｒh-ref(i)−Ｒh(i)」を求め、その差に応じて比例積分制御手段２３を制御する。比例積分制御手段２３は差がゼロに近づくように駆動信号生成器１４を介して点灯回路１の動作周波数を可変制御する。
【００４４】
このような構成においては、予熱制御時にフィラメント抵抗値Ｒhが図９の(a)のグラフｇ3に示すように、テーブルに設定されている設定値Ｒh-ref(i)と変わらずに上昇する場合は、動作周波数を変更することなくそのままでタイマ１３ａが予熱時間Ｔphを計時したときにフィラメント抵抗値Ｒhが所定値ＲhAになる。
【００４５】
これに対し、予熱制御時にフィラメント抵抗値Ｒhが高い温度状態から予熱を開始すると、ＣＰＵ１３１はＡ／Ｄ変換器１２から電流検出値Ｉf(i)と電圧検出値Ｖf(i)を取り込んでフィラメント抵抗値Ｒh(i)を求める毎に設定値Ｒh-ref(i)との差に基づいて予熱量を減らすように動作周波数を可変制御する。このような制御によって、予熱量は図９の(b)に示すように階段状に徐々に減少し、フィラメント抵抗値Ｒhの変化は図９の(a)のグラフｇ4に示すように変化する。そして、タイマ１３ａが予熱時間Ｔphを計時したときにフィラメント抵抗値Ｒhが所定値ＲhAに到達するようになる。
【００４６】
このような制御では予熱時間を常に適切な予熱時間Ｔphに制御することができ、予熱制御から点灯制御に切替えるときのフィラメント抵抗値Ｒhを常に所定の抵抗値ＲhAに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００４７】
（第３の実施の形態）
この実施の形態もＣＰＵによる予熱電流制御以外については前述した第１の実施の形態と同じである。また、ＣＰＵによる予熱制御は前述した第２の実施の形態と若干異なる。この実施の形態の全体の構成は図７と同じである。
【００４８】
この実施の形態では、ＣＰＵ１３１は、予熱制御の開始時にＡ／Ｄ変換器１２から電流検出値Ｉf(1)及び電圧検出値Ｖf(1)を取り込むと、Ｖf(1)／Ｉf(1)の関係によって放電ランプ２のフィラメント抵抗値Ｒh(1)を求め、この抵抗値Ｒh(1)を初期抵抗値Ｒcとしてメモリ１５に記憶する。また、メモリ１５内の不揮発性メモリには初回を除くサンプリング回数毎の設定値Ｒh-ref(i)及び適切な予熱時間Ｔph及び最終的な所定値α＝ＲhA／Ｒcを設定したテーブルを用意する。なお、所定値αとしては例えば４程度の値である。
【００４９】
そして、ＣＰＵ１３１は、２回目以降にＡ／Ｄ変換器１２から電流検出値Ｉf(i)及び電圧検出値Ｖf(i)を取り込む毎にＲh／Ｒc(i)を求め、設定値Ｒh／Ｒc-ref(i)と比較する。なお、この場合の設定値Ｒh／Ｒc-ref(i)は、テーブルから設定値Ｒh-ref(i)を読み込み、これをＲcで除算することによって求める。そして、その差「Ｒh／Ｒc-ref(i)−Ｒh／Ｒc(i)」に応じて駆動信号生成器１４を制御して予熱制御時の点灯回路１の動作周波数を可変制御し、予熱量を可変する。
【００５０】
このときのＣＰＵ１３１のプログラム処理をシーケンスパターンで示すと、図１０に示すようになる。すなわち、Ａ／Ｄ変換器１２から電流検出値Ｉf(i)及び電圧検出値Ｖf(i)を演算処理手段２１でＶf(i)／Ｉf(i)の演算処理を行ってフィラメント抵抗値Ｒh(i)を求め、続いて、演算処理手段２４でメモリ１５に記憶した初期抵抗値Ｒcとの比、Ｒh／Ｒc(i)を求める。そして、演算処理手段２２でテーブルに設定されている該当するサンプリング回数ｉの設定値Ｒh／Ｒc-ref(i)との差、「Ｒh／Ｒc-ref(i)−Ｒh／Ｒc(i)」を求め、その差に応じて比例積分制御手段２３を制御する。比例積分制御手段２３は差がゼロに近づくように駆動信号生成器１４を介して点灯回路１の動作周波数を可変制御する。
【００５１】
このような構成においては、予熱制御時におけるフィラメント抵抗値Ｒhの上昇が基準よりも大きいときには、比Ｒh／Ｒc(i)の上昇も大きくなる。そこで、Ｒh／Ｒc-ref(i)−Ｒh／Ｒc(i)を求め、その差に応じて比例積分制御手段２３を制御し、動作周波数を可変制御する。この場合、差は負の値になり、予熱量を減少させるために動作周波数を高くする。こうして、フィラメント抵抗値Ｒhの上昇の度合いが抑制される。従って、この実施の形態においてもタイマ１３ａが予熱時間Ｔphを計時したときにＲh／Ｒcが所定値αに到達するようにサンプリング毎に予熱量が制御される。
【００５２】
このようにして予熱時間を常に適切な予熱時間Ｔphに制御することができ、予熱制御から点灯制御に切替えるときのフィラメント抵抗値Ｒhの初期抵抗値Ｒcとの比Ｒh／Ｒcを所定値αに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００５３】
（第４の実施の形態）
この実施の形態もＣＰＵによる予熱電流制御以外については前述した第１の実施の形態と同じである。また、ＣＰＵによる予熱制御は前述した第２、第３の実施の形態と若干異なる。この実施の形態の全体の構成は図７と同じである。
【００５４】
この実施の形態では、ＣＰＵ１３１は、Ａ／Ｄ変換器１２から電流検出値Ｉf(i)及び電圧検出値Ｖf(i)を取り込むと、Ｖf(i)／Ｉf(i)の関係によって放電ランプ２のフィラメント抵抗値Ｒh(i)を求め、この抵抗値Ｒh(i)と前回の抵抗値Ｒh(i-1)との差ΔＲh(i)を求め、その差に応じて予熱量を制御するようになっている。
【００５５】
すなわち、図１１に示すように、ＣＰＵ１３１は、Ａ／Ｄ変換器１２から電流検出値Ｉf(i)及び電圧検出値Ｖf(i)を取り込むと、演算処理手段２１でＶf(i)／Ｉf(i)の演算処理を行ってフィラメント抵抗値Ｒh(i)を求める。この抵抗値Ｒh(i)を記憶処理手段２５にてメモリ１５に記憶するとともに演算処理手段２６に供給する。
【００５６】
演算処理手段２６はメモリ１５から１つ前の抵抗値Ｒh(i-1)を取り込み、Ｒh(i)−Ｒh(i-1)の演算を行ってΔＲh(i)を算出する。そして、演算処理手段２２でテーブルに設定されている該当するサンプリング回数ｉの設定値ΔＲh-ref(i)を取り込み、その差、「ΔＲh-ref(i)−ΔＲh(i)」を求め、その差に応じて比例積分制御手段２３を制御する。比例積分制御手段２３は差がゼロに近づくように駆動信号生成器１４を介して点灯回路１の動作周波数を可変制御する。
【００５７】
従って、ここでは、メモリ１５内の不揮発性メモリにサンプリング回数毎の差の設定値ΔＲh-ref(i)及び適切な予熱時間Ｔph及び最終的な所定値ＲhAを設定したテーブルを用意する。設定値ΔＲh-ref(i)は、図１２の(a)に示すように、一定の予熱電流において予熱の開始から適切な予熱時間Ｔphが経過するまで予熱した場合に、増加し最終的に所定値ＲhAに達するフィラメント抵抗値Ｒh(i)を一定間隔でサンプリングしたときのフィラメント抵抗値の増加量ΔＲh(i)＝Ｒh(i)−Ｒh(i-1)になっている。なお、図１２の(b)はそのときの一定時間毎のΔＲh-ref(i)をプロットしたグラフである。
【００５８】
このような構成においては、予熱制御時におけるフィラメント抵抗値Ｒhの上昇が基準よりも大きいときには、抵抗値の前回との差ΔＲh(i)も大きくなる。そこで、差の設定値ΔＲh-ref(i)との差である、ΔＲh-ref(i)−ΔＲh(i)を算出し、その差に応じて比例積分制御手段２３を制御し、動作周波数を可変制御する。この場合、差は負の値になり、予熱量を減少させるために動作周波数を高くする。こうして、フィラメント抵抗値Ｒhの上昇の度合いが抑制される。従って、この実施の形態においてもタイマ１３ａが予熱時間Ｔphを計時したときにフィラメント抵抗値Ｒhが所定値ＲhAに到達するようにサンプリング毎に予熱量が制御される。
【００５９】
このようにして予熱時間を常に適切な予熱時間Ｔphに制御することができ、予熱制御から点灯制御に切替えるときのフィラメント抵抗値Ｒhを所定値ＲhAに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００６０】
（第５の実施の形態）
この実施の形態もＣＰＵによる予熱電流制御以外については前述した第１の実施の形態と同じである。また、ＣＰＵによる予熱制御は前述した第２乃至第４の実施の形態と若干異なる。この実施の形態の全体の構成は図７と同じである。
【００６１】
この実施の形態では、ＣＰＵ１３１は、予熱制御の開始時にＡ／Ｄ変換器１２から電流検出値Ｉf(1)及び電圧検出値Ｖf(1)を取り込むと、Ｖf(1)／Ｉf(1)の関係によって放電ランプ２のフィラメント抵抗値Ｒh(1)を求め、この抵抗値Ｒh(1)を初期抵抗値Ｒcとしてメモリ１５に記憶する。また、メモリ１５内の不揮発性メモリには初回を除くサンプリング回数毎の設定値Ｒh-ref(i)及び適切な予熱時間Ｔph及び最終的な所定値α＝ＲhA／Ｒcを設定したテーブルを用意する。
【００６２】
そして、ＣＰＵ１３１は、２回目以降にＡ／Ｄ変換器１２から電流検出値Ｉf(i)及び電圧検出値Ｖf(i)を取り込む毎に今回の抵抗値Ｒh(i)と初期抵抗値Ｒcとの比Ｒh／Ｒc(i)を求め、この比Ｒh／Ｒc(i)と前回の比Ｒh／Ｒc(i-1)との差ΔＲh／Ｒc(i)を求め、その差に応じて予熱量を制御するようになっている。
【００６３】
すなわち、図１３に示すように、ＣＰＵ１３１は、Ａ／Ｄ変換器１２から電流検出値Ｉf(i)及び電圧検出値Ｖf(i)を演算処理手段２１でＶf(i)／Ｉf(i)の演算処理を行ってフィラメント抵抗値Ｒh(i)を求め、続いて、演算処理手段２４でメモリ１５に記憶した初期抵抗値Ｒcとの比Ｒh／Ｒc(i)を求める。そして、この抵抗値の比を記憶処理手段２５にてメモリ１５に記憶するとともに演算処理手段２６に供給する。
【００６４】
演算処理手段２６はメモリ１５から１つ前の抵抗値の比Ｒh／Ｒc(i-1)を取り込み、Ｒh／Ｒc(i)−Ｒh／Ｒc(i-1)の演算を行ってΔＲh／Ｒc(i)を算出する。そして、演算処理手段２２でテーブルに設定されている該当するサンプリング回数ｉの設定値ΔＲh／Ｒc-ref(i)を取り込み、その差、「ΔＲh／Ｒc-ref(i)−ΔＲh／Ｒc(i)」を求め、その差に応じて比例積分制御手段２３を制御する。比例積分制御手段２３は差がゼロに近づくように駆動信号生成器１４を介して点灯回路１の動作周波数を可変制御する。
【００６５】
従って、ここでは、メモリ１５内の不揮発性メモリにサンプリング回数毎の抵抗値の比Ｒh／Ｒcの前回との差の設定値ΔＲh／Ｒc-ref(i)及び適切な予熱時間Ｔph及び最終的な所定値α＝ＲhA／Ｒcを設定したテーブルを用意する。設定値ΔＲh／Ｒc-ref(i)は、図１４の(a)に示すように、一定の予熱電流において予熱の開始から適切な予熱時間Ｔphが経過するまで予熱した場合に、増加し最終的に所定値αに達するフィラメント抵抗値の比Ｒh／Ｒc(i)を一定間隔でサンプリングしたときの比の増加量ΔＲh／Ｒc(i)＝Ｒh／Ｒc(i)−Ｒh／Ｒc(i-1)になっている。なお、図１４の(b)はそのときの一定時間毎のΔＲh／Ｒc-ref(i)をプロットしたグラフである。
【００６６】
このような構成においては、予熱制御時におけるフィラメント抵抗値Ｒhの上昇が基準よりも大きいときには、比Ｒｈ／Ｒc(i)の上昇も大きくなり、この比の前回の比との差ΔＲh／Ｒc(i)も大きくなる。そこで、該当するサンプリング回数ｉにおける設定値ΔＲh／Ｒc-ref(i)との差を求める。すなわち、ΔＲh／Ｒc-ref(i)−ΔＲh／Ｒc(i)を算出する。そして、その差に応じて比例積分制御手段２３を制御し、動作周波数を可変制御する。この場合、差は負の値になり、予熱量を減少させるために動作周波数を高くする。こうして、フィラメント抵抗値の比Ｒh／Ｒcの上昇の度合いが抑制される。従って、この実施の形態においてもタイマ１３ａが予熱時間Ｔphを計時したときにフィラメント抵抗値の比Ｒh／Ｒcが所定値αに到達するようにサンプリング毎に予熱量が制御される。
【００６７】
このようにして予熱時間を常に適切な予熱時間Ｔphに制御することができ、予熱制御から点灯制御に切替えるときのフィラメント抵抗値の比Ｒh／Ｒcを所定値αに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００６８】
次に、予熱時間を常に適切な予熱時間に設定でき、しかも、予熱時間経過後においてフィラメント抵抗値Ｒhやフィラメント抵抗値Ｒhの初期抵抗値Ｒcとの比が常に所定値に設定されるようにフィードバック制御により点灯回路１の入力直流電圧を可変して予熱量を可変する実施の形態について述べる。
【００６９】
（第６の実施の形態）
この実施の形態はＣＰＵによる予熱電流制御以外については前述した第２の実施の形態の図７の構成と同じである。  
図１５に示すように、ＣＰＵ１３２は、Ａ／Ｄ変換器１２から電流検出値Ｉf(i)及び電圧検出値Ｖf(i)を取り込むと、Ｖf(i)／Ｉf(i)の関係によって放電ランプ２のフィラメント抵抗値Ｒh(i)を求め、この抵抗値Ｒh(i)を予め設定されている基準となる設定値Ｒh-ref(i)と比較する。なお、ｉは１，２，３，…の正数でサンプリング回数を示している。
【００７０】
すなわち、メモリ１５の一部をＲＯＭなどの不揮発性メモリで構成し、この不揮発性メモリにサンプリング回数毎の設定値Ｒh-ref(i)を設定したテーブルを用意し、ＣＰＵ１３２は、Ａ／Ｄ変換器１２から電流検出値Ｉf(i)及び電圧検出値Ｖf(i)を取り込む毎に設定値Ｒh-ref(i)と比較する。そして、その差に応じて直流電源３を制御して入力直流電圧を可変制御する。例えば、フィラメント抵抗値Ｒh(i)が設定値Ｒh-ref(i)よりも大きいときには入力直流電圧を低下させて予熱量を低減する。そして、適切な予熱時間Ｔph及び最終的な所定値ＲhAもテーブルに用意し、タイマ１３ａが予熱時間Ｔphを計時したときにフィラメント抵抗値Ｒhが所定値ＲhAになるように制御する。
【００７１】
このときのＣＰＵ１３２の処理をシーケンス制御として示すと、図１６に示すようになる。すなわち、Ａ／Ｄ変換器１２から電流検出値Ｉf(i)及び電圧検出値Ｖf(i)を演算処理手段２１でＶf(i)／Ｉf(i)の演算処理を行ってフィラメント抵抗値Ｒh(i)を求め、続いて、演算処理手段２１でテーブルに設定されている該当するサンプリング回数ｉの設定値Ｒh-ref(i)との差、「Ｒh-ref(i)−Ｒh(i)」を求め、その差に応じて駆動信号生成器１４にある比例積分制御手段２３を制御する。比例積分制御手段２３は差がゼロに近づくように直流電源３からの直流電圧を可変制御する。
【００７２】
このような構成においては、予熱制御時にフィラメント抵抗値Ｒhが基準よりも高い状態が続くと、ＣＰＵ１３１はＡ／Ｄ変換器１２から電流検出値Ｉf(i)と電圧検出値Ｖf(i)を取り込んでフィラメント抵抗値Ｒh(i)を求める毎に設定値Ｒh-ref(i)との差に基づいて予熱量を減らすように直流電源３からの直流電圧を可変制御する。このような制御によって、予熱量は減少制御され、フィラメント抵抗値Ｒhの上昇が抑制される。そして、タイマ１３ａが予熱時間Ｔphを計時したときにフィラメント抵抗値Ｒhが所定値ＲhAに到達するようになる。
【００７３】
このような制御では予熱時間を常に適切な予熱時間Ｔphに制御することができ、予熱制御から点灯制御に切替えるときのフィラメント抵抗値Ｒhを常に所定の抵抗値ＲhAに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００７４】
（第７の実施の形態）
この実施の形態もＣＰＵによる予熱電流制御以外については前述した第１の実施の形態と同じである。また、予熱電流制御における検出値の処理は第３の実施の形態と同じである。この実施の形態の全体の構成は図１５と同じである。
【００７５】
すなわち、ＣＰＵ１３２は、予熱制御の開始時にＡ／Ｄ変換器１２から電流検出値Ｉf(1)及び電圧検出値Ｖf(1)を取り込むと、Ｖf(1)／Ｉf(1)の関係によって放電ランプ２のフィラメント抵抗値Ｒh(1)を求め、この抵抗値Ｒh(1)を初期抵抗値Ｒcとしてメモリ１５に記憶する。また、メモリ１５内の不揮発性メモリには初回を除くサンプリング回数毎の設定値Ｒh-ref(i)及び適切な予熱時間Ｔph及び最終的な所定値α＝ＲhA／Ｒcを設定したテーブルを用意する。なお、所定値αとしては例えば４程度の値である。
【００７６】
そして、図１７に示すように、２回目以降にＡ／Ｄ変換器１２から電流検出値Ｉf(i)及び電圧検出値Ｖf(i)を取り込むと、取り込む毎に演算処理手段２１でＶf(i)／Ｉf(i)の演算処理を行ってフィラメント抵抗値Ｒh(i)を求め、続いて、演算処理手段２４でメモリ１５に記憶した初期抵抗値Ｒcとの比、Ｒh／Ｒc(i)を求める。そして、演算処理手段２２でテーブルに設定されている該当するサンプリング回数ｉの設定値Ｒh／Ｒc-ref(i)との差、「Ｒh／Ｒc-ref(i)−Ｒh／Ｒc(i)」を求め、その差に応じて比例積分制御手段２３を介して直流電源３からの直流電圧を可変制御する。
【００７７】
このような構成においては、予熱制御時におけるフィラメント抵抗値Ｒhの上昇が基準よりも大きいときには、比Ｒh／Ｒc(i)の上昇も大きくなる。そこで、Ｒh／Ｒc-ref(i)−Ｒh／Ｒc(i)を求め、その差に応じて比例積分制御手段２３を制御し、直流電源３からの直流電圧を可変制御する。この場合、差は負の値になり、予熱量を減少させるために直流電圧を低減する。こうして、フィラメント抵抗値Ｒhの上昇の度合いが抑制される。従って、この実施の形態においてもタイマ１３ａが予熱時間Ｔphを計時したときにＲh／Ｒcが所定値αに到達するようにサンプリング毎に予熱量が制御される。
【００７８】
このようにして予熱時間を常に適切な予熱時間Ｔphに制御することができ、予熱制御から点灯制御に切替えるときのフィラメント抵抗値Ｒhの初期抵抗値Ｒcとの比Ｒh／Ｒcを所定値αに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００７９】
（第８の実施の形態）
この実施の形態もＣＰＵによる予熱電流制御以外については前述した第１の実施の形態と同じである。また、予熱電流制御における検出値の処理は第４の実施の形態と同じである。この実施の形態の全体の構成は図１５と同じである。
【００８０】
この実施の形態では、ＣＰＵ１３２は、図１８に示すように、Ａ／Ｄ変換器１２から電流検出値Ｉf(i)及び電圧検出値Ｖf(i)を取り込むと、演算処理手段２１でＶf(i)／Ｉf(i)の演算処理を行ってフィラメント抵抗値Ｒh(i)を求める。この抵抗値Ｒh(i)を記憶処理手段２５にてメモリ１５に記憶するとともに演算処理手段２６に供給する。
【００８１】
演算処理手段２６はメモリ１５から１つ前の抵抗値Ｒh(i-1)を取り込み、Ｒh(i)−Ｒh(i-1)の演算を行ってΔＲh(i)を算出する。そして、演算処理手段２２でテーブルに設定されている該当するサンプリング回数ｉの設定値ΔＲh-ref(i)を取り込み、その差、「ΔＲh-ref(i)−ΔＲh(i)」を求め、その差に応じて比例積分制御手段２３を制御する。比例積分制御手段２３は差がゼロに近づくように直流電源３の直流電圧を可変制御する。
【００８２】
このような構成においては、予熱制御時におけるフィラメント抵抗値Ｒhの上昇が基準よりも大きいときには、抵抗値の前回との差ΔＲh(i)も大きくなる。そこで、差の設定値ΔＲh-ref(i)との差である、ΔＲh-ref(i)−ΔＲh(i)を算出し、その差に応じて比例積分制御手段２３を制御し、直流電源３の直流電圧を可変制御する。この場合、差は負の値になり、予熱量を減少させるために直流電圧を低減する。こうして、フィラメント抵抗値Ｒhの上昇の度合いが抑制される。従って、この実施の形態においてもタイマ１３ａが予熱時間Ｔphを計時したときにフィラメント抵抗値Ｒhが所定値ＲhAに到達するようにサンプリング毎に予熱量が制御される。
【００８３】
このようにして予熱時間を常に適切な予熱時間Ｔphに制御することができ、予熱制御から点灯制御に切替えるときのフィラメント抵抗値Ｒhを所定値ＲhAに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００８４】
（第９の実施の形態）
この実施の形態もＣＰＵによる予熱電流制御以外については前述した第１の実施の形態と同じである。また、予熱電流制御における検出値の処理は第５の実施の形態と同じである。この実施の形態の全体の構成は図１５と同じである。
【００８５】
この実施の形態では、ＣＰＵ１３２は、予熱制御の開始時にＡ／Ｄ変換器１２から電流検出値Ｉf(1)及び電圧検出値Ｖf(1)を取り込むと、Ｖf(1)／Ｉf(1)の関係によって放電ランプ２のフィラメント抵抗値Ｒh(1)を求め、この抵抗値Ｒh(1)を初期抵抗値Ｒcとしてメモリ１５に記憶する。また、メモリ１５内の不揮発性メモリには初回を除くサンプリング回数毎の設定値Ｒh-ref(i)及び適切な予熱時間Ｔph及び最終的な所定値α＝ＲhA／Ｒcを設定したテーブルを用意する。
【００８６】
そして、ＣＰＵ１３２は、２回目以降は図１９に示すように、Ａ／Ｄ変換器１２から電流検出値Ｉf(i)及び電圧検出値Ｖf(i)を取り込み、演算処理手段２１でＶf(i)／Ｉf(i)の演算処理を行ってフィラメント抵抗値Ｒh(i)を求め、続いて、演算処理手段２４でメモリ１５に記憶した初期抵抗値Ｒcとの比Ｒh／Ｒc(i)を求める。そして、この抵抗値の比を記憶処理手段２５にてメモリ１５に記憶するとともに演算処理手段２６に供給する。
【００８７】
演算処理手段２６はメモリ１５から１つ前の抵抗値の比Ｒh／Ｒc(i-1)を取り込み、Ｒh／Ｒc(i)−Ｒh／Ｒc(i-1)の演算を行ってΔＲh／Ｒc(i)を算出する。そして、演算処理手段２２でテーブルに設定されている該当するサンプリング回数ｉの設定値ΔＲh／Ｒc-ref(i)を取り込み、その差、「ΔＲh／Ｒc-ref(i)−ΔＲh／Ｒc(i)」を求め、その差に応じて比例積分制御手段２３を制御する。比例積分制御手段２３は差がゼロに近づくように直流電源３の直流電圧を可変制御する。
【００８８】
このような構成においては、予熱制御時におけるフィラメント抵抗値Ｒhの上昇が基準よりも大きいときには、比Ｒｈ／Ｒc(i)の上昇も大きくなり、この比の前回の比との差ΔＲh／Ｒc(i)も大きくなる。そこで、該当するサンプリング回数ｉにおける設定値ΔＲh／Ｒc-ref(i)との差を求める。すなわち、ΔＲh／Ｒc-ref(i)−ΔＲh／Ｒc(i)を算出する。そして、その差に応じて比例積分制御手段２３を制御し、直流電圧を可変制御する。この場合、差は負の値になり、予熱量を減少させるために直流電圧を低減する。こうして、フィラメント抵抗値の比Ｒh／Ｒcの上昇の度合いが抑制される。従って、この実施の形態においてもタイマ１３ａが予熱時間Ｔphを計時したときにフィラメント抵抗値の比Ｒh／Ｒcが所定値αに到達するようにサンプリング毎に予熱量が制御される。
【００８９】
このようにして予熱時間を常に適切な予熱時間Ｔphに制御することができ、予熱制御から点灯制御に切替えるときのフィラメント抵抗値の比Ｒh／Ｒcを所定値αに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００９０】
次に、予熱時間を適切な予熱時間に設定しておき、この予熱時間経過前にフィラメント抵抗値Ｒhが所定値ＲhAに達したときには、予熱時間が経過するまで略所定値ＲhAを維持する実施の形態について述べる。
【００９１】
（第１０の実施の形態）
この実施の形態もＣＰＵによる予熱電流制御以外については前述した第２の実施の形態の図７の構成と同じである。  
図２０に示すように、ＣＰＵ１３３は、駆動信号生成器１４を制御し、予熱制御時に所定の予熱電流が流れるように点灯回路１の動作周波数を制御する。予熱時間はタイマ１３ａが計時する。そして、予熱制御時において、Ａ／Ｄ変換器１２から電流検出値Ｉf(i)及び電圧検出値Ｖf(i)を取り込むと、Ｖf(i)／Ｉf(i)の関係によって放電ランプ２のフィラメント抵抗値Ｒh(i)を求め、この抵抗値Ｒh(i)を予めメモリ１５に設定されている所定値ＲhAと比較する。
【００９２】
ＣＰＵ１３３は、予め設定した適切な予熱時間Ｔphに対して、放電ランプ２のフィラメント抵抗値Ｒhが、タイマ１３ａが予熱時間Ｔphを計時する前に所定値ＲhAに達したことを判断すると、駆動信号生成器１４を制御し、放電ランプ２のフィラメント抵抗値Ｒhが図２１の(a)に示すように所定値ＲhAを維持する制御を行う。そして、このときに放電ランプ２への予熱量は図２１の(b)に示すように制御される。予熱量の可変制御は前述したように、動作周波数の可変制御でも入力直流電圧の可変制御でもよい。
【００９３】
このような制御を行うことで、予熱時間を常に設定した適切な予熱時間Ｔphに制御することができ、しかも、予熱制御から点灯制御に切替えるときのフィラメント抵抗値Ｒhを常に所定の抵抗値ＲhAに設定することができる。従って、この実施の形態においても電源の投入から一定の時間で始動電圧を印加することができ、適切な予熱を行うことができると同時に、放電ランプの点灯開始のばらつきを抑えることができる。従って、この点灯装置を複数設けて放電ランプを点灯させる場合に各放電ランプの点灯開始のばらつきを抑えることができる。
【００９４】
次に本発明の放電灯点灯装置を備えた照明器具を複数配置し、この複数の照明器具においてフィラメント抵抗値が所定値以上に達した状態で一斉に予熱制御から点灯制御に移行できる照明システムの実施の形態について述べる。
【００９５】
（第１１の実施の形態）
図２２に示すように、放電ランプＬＡと放電灯点灯装置ＬＭを照明器具本体Ｎに収容した、例えば４個の照明器具１０１、１０２、１０３、１０４を配置して照明システムを形成している。そして、照明器具１０１をホスト照明器具に設定している。  
前記各照明器具１０１，１０２，１０３，１０４に収納した放電灯点灯装置ＬＭは図２３に示す構成になっている。すなわち、ＣＰＵの機能と通信Ｉ／Ｆ（インターフェース）を設け、また、タイマ１３ａを不要とした以外は図２０の構成と同じである。なお、通信Ｉ／Ｆは無線通信するものであっても有線通信するものであってもよい。
【００９６】
ホスト照明器具１０１以外の他の照明器具１０２，１０３，１０４の放電灯点灯装置ＬＭにおけるＣＰＵ１３４は、予熱制御においてＡ／Ｄ変換器１２から電流検出値Ｉf(i)及び電圧検出値Ｖf(i)を一定時間間隔で取り込むと、Ｖf(i)／Ｉf(i)の関係によって放電ランプ２のフィラメント抵抗値Ｒh(i)を求め、この抵抗値Ｒh(i)を通信Ｉ／Ｆ３１を介してホスト照明器具１０１に送信するようになっている。
【００９７】
また、全ての照明器具１０１〜１０４のＣＰＵ１３４は、放電ランプＬＡのフィラメント抵抗値Ｒh(i)を予め設定した所定値ＲhAと比較し、フィラメント抵抗値Ｒh(i)が所定値ＲhAに達するまでは一定の予熱量となるように駆動信号生成器１４を介して、例えば点灯回路１の動作周波数を制御し、フィラメント抵抗値Ｒh(i)が所定値ＲhAに達すると、駆動信号生成器１４を介して点灯回路１の動作周波数を、以降、フィラメント抵抗値Ｒh(i)が所定値ＲhAを略維持するように可変制御するようになっている。
【００９８】
そして、他の照明器具１０２，１０３，１０４のＣＰＵ１３４は、通信Ｉ／Ｆ３１がホスト照明器具１０１から切替え指令を受信すると、駆動信号生成器１４を制御し、点灯回路１の動作を予熱制御から点灯制御に切替えるようになっている。
【００９９】
前記ホスト照明器具１０１は、通信Ｉ／Ｆ３１が他の照明器具１０２，１０３，１０４からフィラメント抵抗値Ｒh(i)を受信すると、受信したフィラメント抵抗値Ｒh(i)を予め設定した所定値ＲhAと比較し、フィラメント抵抗値Ｒh(i)が所定値ＲhAに達すると該当する照明器具のフラグをセットし、自己も含めて全ての照明器具のフラグがセットされると、駆動信号生成器１４を制御し、点灯回路１の動作を予熱制御から点灯制御に切替えるとともに、他の照明器具１０２，１０３，１０４に対して切替え指令を送信するようになっている。
【０１００】
このような構成においては、全ての照明器具１０１〜１０４に一斉に電源を投入すると、一斉に予熱制御が開始される。そして、照明器具１０２，１０３，１０４からホスト照明器具１０１に対して一定時間間隔でフィラメント抵抗値Ｒh(i)が送信される。各照明器具１０１〜１０４ではフィラメント抵抗値Ｒh(i)を所定値ＲhAと比較し、フィラメント抵抗値Ｒh(i)が所定値ＲhAに達すると、点灯回路１の動作周波数をフィラメント抵抗値Ｒh(i)が所定値ＲhAを略維持するように可変制御する。
【０１０１】
従って、各照明器具１０１〜１０４の放電ランプＬＡのフィラメント抵抗値Ｒh(i)が、例えば、図２４の(a)に示すように上昇したとすると、すなわち、照明器具１０１がグラフｇ11のように上昇し、照明器具１０２がグラフｇ12のように上昇し、照明器具１０３がグラフｇ13のように上昇し、照明器具１０４がグラフｇ14のように上昇したとすると、先ず、ホスト照明器具１０１においてフィラメント抵抗値Ｒh(i)が所定値ＲhAに達し、以降、図２４の(b)に示すようにフィラメント抵抗値Ｒh(i)が所定値ＲhAを略維持する予熱量制御が行われる。
【０１０２】
続いて、照明器具１０２においてフィラメント抵抗値Ｒh(i)が所定値ＲhAに達し、以降、図２４の(c)に示すようにフィラメント抵抗値Ｒh(i)が所定値ＲhAを略維持する予熱量制御が行われる。続いて、照明器具１０３においてフィラメント抵抗値Ｒh(i)が所定値ＲhAに達し、以降、図２４の(d)に示すようにフィラメント抵抗値Ｒh(i)が所定値ＲhAを略維持する予熱量制御が行われる。
【０１０３】
そして、最後に、照明器具１０４においてフィラメント抵抗値Ｒh(i)が所定値ＲhAに達する。照明器具１０４では一定の予熱量制御からフィラメント抵抗値Ｒh(i)が所定値ＲhAを略維持する予熱量制御に移行しようとする。このときホスト照明器具１０１では全ての照明器具においてフィラメント抵抗値Ｒh(i)が所定値ＲhAに達したことを判断する。そして、ホスト照明器具１０１は、自己の点灯回路１を予熱制御から点灯制御に切替えるとともに、他の照明器具１０２，１０３，１０４に対して切替え指令を送信する。他の照明器具１０２，１０３，１０４では切替え指令を受信すると、点灯回路１を予熱制御から点灯制御に切替える。従って、照明器具１０４では図２４の(e)に示すように一定の予熱量制御のみで点灯制御へ移行する。
【０１０４】
このようにして、全ての照明器具１０１〜１０４は一斉に予熱を終了して放電ランプＬＡを点灯するようになる。すなわち、照明器具間において予熱時間のばらつきによる放電ランプの点灯開始の乱れは生じない。従って、例えば、複数の照明器具で１つのグループを形成し、このようなグループを複数形成した照明システムにおいて、グループ単位で放電ランプの点滅を行う場合に、グループ毎に放電ランプの一斉点灯ができる。
【０１０５】
なお、この実施の形態においては、他の照明器具１０２，１０３，１０４からホスト照明器具１０１へフィラメント抵抗値Ｒh(i)を算出する毎にその抵抗値Ｒh(i)を送信し、ホスト照明器具１０１が全ての照明器具についてフィラメント抵抗値Ｒh(i)の所定値ＲhAへの到達を判断するようにしたがこれに限定するものではない。
【０１０６】
例えば、他の照明器具１０２，１０３，１０４においてフィラメント抵抗値Ｒh(i)の所定値ＲhAへの到達を判断し、フィラメント抵抗値Ｒh(i)が所定値ＲhAに達したときそれをホスト照明器具１０１に送信し、ホスト照明器具１０１では自己を含めて全ての照明器具においてフィラメント抵抗値Ｒh(i)が所定値ＲhAに達した通知を受けたときに全ての照明器具についてフィラメント抵抗値Ｒh(i)の所定値ＲhAへの到達を判断するようにしてもよい。このようにすれば、ホスト照明器具１０１のＣＰＵ１３４の負担を軽減できる。
【０１０７】
また、この実施の形態においては、複数の照明器具のうちの、１つをホスト照明器具にしたものについて述べたがこれに限定するものではなく、外部に制御のための専用端末を配置し、その専用端末がホスト照明器具に代わって各照明器具のフィラメント抵抗値Ｒh(i)の所定値ＲhAへの到達状態を判断し、切替え指令を送信するものであってもよい。
【０１０８】
なお、この照明システムでは、照明器具として、フィラメント抵抗値Ｒh(i)が所定値ＲhAに達すると、以降はフィラメント抵抗値Ｒh(i)が所定値ＲhAを略維持する予熱量制御に切り替わる放電灯点灯装置を収納したものについて述べたが、照明器具を単体で使用する場合には、放電灯点灯装置としては、前述した各実施の形態に記載した全ての放電灯点灯装置を使用することができる。
【図面の簡単な説明】
【０１０９】
【図１】本発明の第１の実施の形態に係る放電灯点灯装置の一部ブロックを含む回路構成図。
【図２】同実施の形態における予熱制御時のフィラメント抵抗値変化と予熱時間との関係を示すグラフ。
【図３】同実施の形態における予熱制御時の動作周波数と予熱量との関係を示すグラフ。
【図４】同実施の形態における予熱制御時の動作周波数と予熱電流との関係を示すグラフ。
【図５】本発明の第１の実施の形態に係る放電灯点灯装置の変形例を示す一部ブロックを含む回路構成図。
【図６】本発明の第１の実施の形態に係る放電灯点灯装置の変形例を示す一部ブロックを含む回路構成図。
【図７】本発明の第２の実施の形態に係る放電灯点灯装置の一部ブロックを含む回路構成図。
【図８】同実施の形態における放電灯点灯装置のＣＰＵのプログラム処理をシーケンスパターンで示す図。
【図９】同実施の形態におけるフィラメント抵抗値の時間変化と予熱量の時間変化を示すグラフ。
【図１０】本発明の第３の実施の形態における放電灯点灯装置のＣＰＵのプログラム処理をシーケンスパターンで示す図。
【図１１】本発明の第４の実施の形態における放電灯点灯装置のＣＰＵのプログラム処理をシーケンスパターンで示す図。
【図１２】同実施の形態におけるテーブルに設定される設定値ΔＲh-ref(i)の概念を説明するためのグラフ。
【図１３】本発明の第５の実施の形態における放電灯点灯装置のＣＰＵのプログラム処理をシーケンスパターンで示す図。
【図１４】同実施の形態におけるテーブルに設定される設定値ΔＲh／Ｒc-ref(i)の概念を説明するためのグラフ。
【図１５】本発明の第６の実施の形態に係る放電灯点灯装置の一部ブロックを含む回路構成図。
【図１６】同実施の形態における放電灯点灯装置のＣＰＵのプログラム処理をシーケンスパターンで示す図。
【図１７】本発明の第７の実施の形態における放電灯点灯装置のＣＰＵのプログラム処理をシーケンスパターンで示す図。
【図１８】本発明の第８の実施の形態における放電灯点灯装置のＣＰＵのプログラム処理をシーケンスパターンで示す図。
【図１９】本発明の第９の実施の形態における放電灯点灯装置のＣＰＵのプログラム処理をシーケンスパターンで示す図。
【図２０】本発明の第１０の実施の形態に係る放電灯点灯装置の一部ブロックを含む回路構成図。
【図２１】同実施の形態におけるフィラメント抵抗値の時間変化と予熱量の時間変化を示すグラフ。
【図２２】本発明の第１１の実施の形態に係る照明システムの構成を示す図。
【図２３】同実施の形態の各照明器具に収納した放電灯点灯装置の一部ブロックを含む回路構成図。
【図２４】同実施の形態における各照明器具のフィラメント抵抗値の時間変化と予熱量の時間変化を示すグラフ。
【符号の説明】
【０１１０】
１…点灯回路、２…放電ランプ、１０…電流検出手段、１１…電圧検出手段、１２…Ａ／Ｄ変換器、１３…ＣＰＵ（中央処理装置）、１３ａ…タイマ、１４…駆動信号生成器、１５…メモリ。
【図１】
2006179188.tif 000003
【図２】
2006179188.tif 000004
【図３】
2006179188.tif 000005
【図４】
2006179188.tif 000006
【図５】
2006179188.tif 000007
【図６】
2006179188.tif 000008
【図７】
2006179188.tif 000009
【図８】
2006179188.tif 000010
【図９】
2006179188.tif 000011
【図１０】
2006179188.tif 000012
【図１１】
2006179188.tif 000013
【図１２】
2006179188.tif 000014
【図１３】
2006179188.tif 000015
【図１４】
2006179188.tif 000016
【図１５】
2006179188.tif 000017
【図１６】
2006179188.tif 000018
【図１７】
2006179188.tif 000019
【図１８】
2006179188.tif 000020
【図１９】
2006179188.tif 000021
【図２０】
2006179188.tif 000022
【図２１】
2006179188.tif 000023
【図２２】
2006179188.tif 000024
【図２３】
2006179188.tif 000025
【図２４】
2006179188.tif 000026